(57)【要約】【課題】扉を容易に開閉操作することができるとともに、扉のシール機能を十全に確保することができる空気調和機を提供する。【解決手段】ロック手段は、一方のロック対象部材に固定配置する係合体６０１と、係合体６０１に係合するロック位置と係合体から離脱する解除位置とにわたってスライド可能に他方のロック対象部材に設ける可動ロック爪部６０２と、可動ロック爪部６０２をスライド可能に保持して他方のロック対象部材に固定配置し、かつ可動ロック爪部６０２のスライド方向の両側部に当接して可動ロック爪部６０２に作用する反力を受け止める保持体６０３からなり、可動ロック爪部６０２はロック位置において係合体６０１に係合する辺縁部をなすストッパー部６０７がスライド方向と平行をなす。【選択図】図１
2010181034.tif 000002
【特許請求の範囲】
【請求項１】
ケーシングと、ケーシングに開閉自在に装着する扉と、扉とケーシングとの間を気密にシールするシール材と、シール材を介してロック対象部材である扉とケーシングを圧接させるロック手段を備え、ロック手段は、一方のロック対象部材に固定配置する係合体と、係合体に係合するロック位置と係合体から離脱する解除位置とにわたってスライド可能に他方のロック対象部材に設ける可動ロック爪部と、可動ロック爪部をスライド可能に保持して他方のロック対象部材に固定配置する保持体からなり、可動ロック爪部はロック位置において係合体に係合する辺縁部をなすストッパー部がスライド方向と平行をなし、保持体は可動ロック爪部のスライド方向の両側部に当接して可動ロック爪部に作用する反力を受け止めることを特徴とする空気調和機。
【請求項２】
係合体は可動ロック爪部に当接して回転する回転体を有することを特徴とする請求項１に記載の空気調和機。
【請求項３】
可動ロック爪部と保持体との間に摩擦軽減手段を介装したことを特徴とする請求項１又は２に記載の空気調和機。
【請求項４】
可動ロック爪部はスライドバーとスライドバーに固定されるロック爪からなり、摩擦軽減手段はスライドバーに設けた係合孔に嵌め込んで装着される樹脂緩衝材からなることを特徴とする請求項３に記載の空気調和機。
【発明の詳細な説明】
【技術分野】
【０００１】
本発明は空気調和機に関し、特に扉体のロック構造に係るものである。
【背景技術】
【０００２】
従来、この種の空気調和機では、ケーシングに空気調和対象系と連通する還気口および給気口を設け、ケーシングの還気口と給気口の間に給気通風路を形成し、給気通風路にフィルター、熱交換器、給気ファン装置等を配置しており、扉には気密性が求められた。
【０００３】
このため、例えば特許文献１に記載するものでは、図６に示すように、ケーシング１の開口部に装着する扉２の裏面にスライドバー３を装着し、スライドバー３に係合孔４を形成しており、係合孔４に係合する締め付けフック５をケーシング１の側に設けている。また、扉２にはスライドバー３を覆ってスライドカバー６を設けており、スライドカバー６がスライドバー３を受け止めている。
【０００４】
そして、スライドバー３が締め付けフック５に対して相対的に移動するのに伴って締め付けフック５がスライドバー３を扉閉動側へ引き付け、スライドバー３を受け止めるスライドカバー６および扉２を扉閉動側へ案内する。このように、扉２が扉閉動側へ移動することで扉２とケーシング１との間に配置するシール材の面圧を高めて気密性を確保している。
【０００５】
また、特許文献２では、扉の左右の垂直辺と上下の水平辺に沿って垂直ロッドと水平ロッドを配置し、垂直ロッドと水平ロッドにフック金具を固着しており、フック金具は、扉閉鎖時にボックス本体に固着されたローラを引寄せて係合するフック部と、扉に固着されたローラを引寄せて係合するフック部を有している。そして、閉鎖時には引き出したハンドルの回転操作によってフック金具を移動させてパッキングを圧縮させている。
【先行技術文献】
【特許文献】
【０００６】
【特許文献１】特開２００７−２７１１４２号公報
【特許文献２】特開２０００−１７０４５７号公報
【発明の概要】
【発明が解決しようとする課題】
【０００７】
上記の構成においては、スライドバー３が締め付けフック５に対して相対的に移動するのに伴って締め付けフック５がスライドバー３を案内する。
しかしながら、スライドバー３が扉２とともに扉閉動側へ移動してケーシング１に近づくほどにシール材から反力を受ける。このため、締め付けフック５とスライドバー３の間に大きな摩擦力が生じ、扉２が閉まり難くなる。
【０００８】
また、スライドバー３の閉動時にスライドバー３とスライドカバー６との摩擦がスライドバー３の移動を阻害する要因となり、扉２が閉まり難くなる。
扉２とケーシング１との間に配置するシール材の面圧は、図７に示すように、扉２とケーシング１との距離によって変化し、扉２とケーシング１との距離は締め付けフック５とスライドバー３との位置関係、つまり係合状態によって変化する。図７（ａ）に示すように、スライドバー３への締め付けフック５の入り込みが浅いほどに、締め付けフック５の先端とスライドバー３との距離Ｌ１が小さくなってシール材の面圧が小さくなり、図７（ｂ）に示すように、スライドバー３への締め付けフック５の入り込みが深いほどに、締め付けフック５の先端とスライドバー３との距離Ｌ１が大きくなってシール材の面圧が大きくなる。
【０００９】
このため、外部から加わる力によってケーシング１が変形し、ケーシング１に対して扉２が相対的に上方へＬ２だけ位置ずれすると、ケーシング１に対する扉２の押し付け圧力が変化し、シール材の面圧が変化して気密性が損なわれる。
【００１０】
本発明は上記の課題を解決するものであり、扉を容易に開閉操作することができるとともに、扉のシール機能を十全に確保することができる空気調和機を提供することを目的とする。
【課題を解決するための手段】
【００１１】
上記課題を解決するために、本発明の空気調和機は、ケーシングと、ケーシングに開閉自在に装着する扉と、扉とケーシングとの間を気密にシールするシール材と、シール材を介してロック対象部材である扉とケーシングを圧接させるロック手段を備え、ロック手段は、一方のロック対象部材に固定配置する係合体と、係合体に係合するロック位置と係合体から離脱する解除位置とにわたってスライド可能に他方のロック対象部材に設ける可動ロック爪部と、可動ロック爪部をスライド可能に保持して他方のロック対象部材に固定配置する保持体からなり、可動ロック爪部はロック位置において係合体に係合する辺縁部をなすストッパー部がスライド方向と平行をなし、保持体は可動ロック爪部のスライド方向の両側部に当接して可動ロック爪部に作用する反力を受け止めることを特徴とする。
【００１２】
また、係合体は可動ロック爪部に当接して回転する回転体を有することを特徴とする。
また、可動ロック爪部と保持体との間に摩擦軽減手段を介装したことを特徴とする。
また、可動ロック爪部はスライドバーとスライドバーに固定されるロック爪からなり、摩擦軽減手段はスライドバーに設けた係合孔に嵌め込んで装着される樹脂緩衝材からなることを特徴とする。
【発明の効果】
【００１３】
以上のように本発明によれば、ロック操作時には、ロック対象部材である扉とケーシングがシール材を介して対向する状態で、可動ロック爪部を解除位置からロック位置へ向けてスライド方向に移動させる。可動ロック爪部の移動に伴って係合体が可動ロック爪部に係合し、可動ロック爪部が保持体を介してロック対象部材の扉をケーシングに引き寄せることで、扉の閉動およびロック操作に伴ってシール材が押圧され、扉のシール機能を十全に確保することができる。
【００１４】
ロック位置において可動ロック爪部はストッパー部で係合体に係合し、保持体が可動ロック爪部のスライド方向の両側部に当接して可動ロック爪部に作用する反力を受け止めるので、可動ロック爪部は係合体に当接するストッパー部と保持体に当接するスライド方向の両側部とにおいて３点支持され、安定した姿勢を保持し、係合体に係合する辺縁部をなすストッパー部をスライド方向と平行に維持する。
【００１５】
このため、外部から加わる力によってケーシングが変形し、ケーシングに対して扉が位置ずれして、ストッパー部と係合体とが相対的に移動してその当接位置が変化しても、所定長さを有するストッパー部をスライド方向と平行に維持することで、扉とケーシングの相互間の距離が変化しない。
【００１６】
よって、ケーシングに対する扉の押し付け圧力およびシール材の面圧も変化することがなく、扉とケーシングの間の気密性が損なわれることがない。
係合体が回転体からなり、可動ロック爪部に当接して回転することで、可動ロック爪部と係合体との摩擦力が低減され、ロック操作および解除操作をスムーズに行なえる。
【００１７】
摩擦軽減手段により可動ロック爪部と保持体との間の摩擦を軽減することで、ロック操作および解除操作をスムーズに行なえる。
摩擦軽減手段を可動ロック爪部のスライドバーに設けた係合孔に嵌め込んで装着される樹脂緩衝材とすることで、摩擦軽減手段を容易に装着できるとともに、摩擦軽減手段は保持部材の内方に位置して露出しなくなるので、摩擦軽減手段に手先や服が引っ掛かる虞がなくなり扉を開けての作業時の安全性向上につながる。
【図面の簡単な説明】
【００１８】
【図１】本発明の実施の形態におけるロック手段を示す断面図
【図２】同実施の形態におけるロック操作の手順を示す模式図
【図３】本発明の他の実施の形態におけるロック手段を示す断面図
【図４】本発明の実施の形態における扉パネルを示す模式図
【図５】本発明の実施の形態におけるケーシングを示す模式図
【図６】従来のロック手段を示す断面図
【図７】従来のロック操作を示す模式図
【発明を実施するための形態】
【００１９】
以下、本発明の実施の形態を図面に基づいて説明する。
（全体構造）
図５に示すように、空気調和機のケーシング５１は、架台５０の上に側壁をなす複数の壁板パネル５２を立設し、壁板パネル５２の上端に天井部をなす複数の天板パネル５３を配置し、ケーシング５１の内部に隔壁をなす中仕切パネル５４を立設し、各パネルを相互に接合して組み立てた構造をなし、開口部に扉パネル５５を配置しており、別途に骨組の構造材を必要としないフレームレス構造である。壁板パネル５２、天板パネル５３、中仕切パネル５４、扉パネル５５は基本的に同じ断熱パネルの構造を有している。
（ロック手段）
図４に示すように、扉パネル５５は上辺縁部および下辺縁部に設けた支軸５５１でケーシング５１の天板パネル５３および架台５０に開閉自在に装着しており、ケーシング５１に対向する扉パネル５５の内側面には、その周縁部の全周にわたって扉パネル５５とケーシング５１との間を気密にシールするシール材５５２と、ロック手段６００の一部を設けている。
【００２０】
ロック手段６００は、シール材５５２を介してロック対象部材である扉パネル５５とケーシング１の壁板パネル５２、天板パネル５３、中仕切パネル５４および架台５０を圧接させるものである。
【００２１】
図１に示すように、ロック手段６００は、その基本的な構成において係合体６０１と可動ロック爪部６０２と保持体６０３からなる。ここでは、一方のロック対象部材をなす壁板パネル５２あるいは中仕切パネル５４にピン状の係合体６０１を固定配置し、係合体６０１に遊嵌して円筒状の回転体６０４を配置しており、回転体６０４は係合体６０１の軸心廻りに回動可能である。
【００２２】
他方のロック対象部材をなす扉パネル５５に可動ロック爪部６０２および保持体６０３が配置してある。可動ロック爪部６０２は係合体６０１および回転体６０４に係合するロック位置と係合体６０１および回転体６０４から離脱する解除位置とにわたってスライド可能に設けている。可動ロック爪部６０２はスライドバー６０５にロック爪６０６を固定したものであり、ロック爪６０６はロック位置において係合体６０１に係合する所定長さの辺縁部をなすストッパー部６０７がスライド方向と平行をなし、先端に円弧状の導入ガイド部６０７ａを形成している。
【００２３】
保持体６０３は可動ロック爪部６０２を覆って扉パネル５５に固定配置したスライドカバーであり、可動ロック爪部６０２をスライド可能に保持し、開口部６０３ａにおいてロック爪６０６の移動を許容しており、かつ可動ロック爪部６０２のスライド方向の両側部に当接して可動ロック爪部６０２に作用する反力を受け止めるものである。
【００２４】
図３（ａ）に示すように、長尺なスライドバー６０５の両端にロック爪６０６を設ける場合にあっては、スライドバー６０５の長さに応じて保持体６０３を長尺に形成してスライドバー６０５の全長に対応させる。図３（ｂ）に示すように、保持体６０３は、各々のロック爪６０６に対応するように短尺に形成することも可能である。図３（ｃ）に示すように、保持体６０３は複数に分割して配置することも可能であり、ロック爪６０６の相互間、ロック爪６０６を隔てたスライドバー６０５の端部に対応させて保持体６０３を配置する。
【００２５】
図１に示すように、可動ロック爪部６０２のスライドバー６０５と保持体６０３との間には摩擦軽減手段をなす樹脂緩衝材６０８を介装しており、ここではスライドバー６０５に設けた係合孔（図示省略）に嵌め込んで樹脂緩衝材６０８を装着しているが、樹脂緩衝材６０８は保持体６０３に設けることも可能である。
【００２６】
摩擦軽減手段としてはスライドバー６０５または保持体６０３に凸状のエンボス加工を施したものや、樹脂体を接着する方法等でもよい。
また、摩擦軽減手段を介装する際は、ストッパー部６０７をスライド方向と平行に維持するためにも、摩擦軽減手段はロック爪６０６の両側部近くに設けることが望ましい。
【００２７】
以下、上記した構成における作用を説明する。ロック操作時には、図２（ａ）に示すように扉パネル５５を閉動させ、ロック対象部材である扉パネル５５とケーシング５１の壁板パネル５２、天板パネル５３、中仕切パネル５４の側端面とがシール材を介して対向する状態に配置し、可動ロック爪部６０２を係合体６０１の上方に位置させる。
【００２８】
図２（ｂ）に示すように可動ロック爪部６０２を上方の解除位置から下方のロック位置へ向けてスライド方向に移動させる。可動ロック爪部６０２の移動に伴って係合体６０１および回転体６０４が可動ロック爪部６０２に係合し、ロック爪６０６の先端の導入ガイド部６０７ａにより係合体６０１および回転体６０４をロック爪６０６の内側へ導き、可動ロック爪部６０２が保持体６０３を介してロック対象部材の扉パネル５５をケーシング５１に引き寄せる。この際に、可動ロック爪部６０２に当接する回転体６０４が回転することで、ロック爪６０６と係合体６０１との摩擦力が低減されるので、ロック操作をスムーズに行なえ、解除操作もスムーズに行なえる。また、樹脂緩衝材６０８により可動ロック爪部６０２と保持体６０１との間の摩擦を軽減することでロック操作スムーズに行なえ、解除操作もスムーズに行なえる。
【００２９】
この可動ロック爪部６０２と係合体６０１との係合により扉パネル５５をケーシング５１に引き寄せるロック操作に伴ってシール材５５２が押圧され、扉パネル５５のシール機能を十全に確保することができる。
【００３０】
図２（ｃ）に示すように、さらに可動ロック爪部６０２を移動させてロック位置に配置し、可動ロック爪部６０２をストッパー部６０７で係合体６０１に係合させる。この状態で可動ロック爪部６０２に作用する反力を保持体６０３によって受け止める。つまり、保持体６０３が可動ロック爪部６０２のスライド方向の両側部に当接し、可動ロック爪部６０２が係合体６０１の側へ抜け出ることを阻止する。
【００３１】
このため、可動ロック爪部６０２は、係合体６０１に当接するストッパー部６０７と、保持体６０３に当接するスライド方向の両側部とにおいて３点支持されることで、安定した姿勢を保持し、係合体６０１に係合する辺縁部をなすストッパー部６０７をスライド方向と平行に維持する。
【００３２】
このため、外部から加わる力によってケーシング５１が変形し、ケーシング５１に対して扉パネル５５が位置ずれしてストッパー部６０７と係合体６０１とが相対的に移動し、その当接位置が変化しても、例えば図２（ｂ）に示すように、係合体６０１に対して可動ロック爪部６０２が上方へ移動して、あるいは図２（ｄ）に示すように、係合体６０１に対して可動ロック爪部６０２が下方へ移動しても所定長さの辺縁部をなすストッパー部６０７をスライド方向と平行に維持することで、扉パネル５５とケーシング５１の相互間の距離が変化しない。
【００３３】
よって、ケーシングに対する扉の押し付け圧力およびシール材の面圧も変化することがなく、扉とケーシングの間の気密性が損なわれることがない。
【符号の説明】
【００３４】
５０    架台
５１    ケーシング
５２    壁板パネル
５３    天板パネル
５４    中仕切パネル
５５    扉パネル
５５１    支軸
５５２    シール材
６００    ロック手段
６０１    係合体
６０２    可動ロック爪部
６０３    保持体
６０３ａ  開口部
６０４    回転体
６０５    スライドバー
６０６    ロック爪
６０７    ストッパー部
６０７ａ  導入ガイド部
６０８    樹脂緩衝材
【図１】
2010181034.tif 000003
【図２】
2010181034.tif 000004
【図３】
2010181034.tif 000005
【図４】
2010181034.tif 000006
【図５】
2010181034.tif 000007
【図６】
2010181034.tif 000008
【図７】
2010181034.tif 000009